(57)【要約】【課題】所定の条件でリフレッシュレートを低くして消費電力を低減した表示が可能な表示装置に対するキャリブレーションを精度良く行う。【解決手段】画像データに基づき各画素へ電圧が印加されることで画像を表示する表示パネルを備え、画像データが更新されたときに所定の条件が成立する領域において前記表示パネルへの電圧の印加を行わない制御を行う表示装置に対し、キャリブレーションを行うキャリブレーション装置であって、前記表示装置へパッチ画像を含む画像データを出力する出力手段と、測定器から前記表示パネルの測色値を取得し、取得した測色値に基づき前記表示パネルのキャリブレーションを行うキャリブレーション手段と、前記キャリブレーションが行われているときに、前記パッチ画像が表示される領域において前記所定の条件が成立しないように、前記画像データを補正する補正手段と、を有することを特徴とするキャリブレーション装置。【選択図】図２
2016122056.tif 000002
【特許請求の範囲】
【請求項１】
画像データに基づき各画素へ電圧が印加されることで画像を表示する表示パネルを備え、画像データが更新されたときに所定の条件が成立する領域において前記表示パネルへの電圧の印加を行わない制御を行う表示装置に対し、キャリブレーションを行うキャリブレーション装置であって、
前記表示装置へパッチ画像を含む画像データを出力する出力手段と、
測定器から前記表示パネルの測色値を取得し、取得した測色値に基づき前記表示パネルのキャリブレーションを行うキャリブレーション手段と、
前記キャリブレーションが行われているときに、前記パッチ画像が表示される領域において前記所定の条件が成立しないように、前記画像データを補正する補正手段と、
を有することを特徴とするキャリブレーション装置。
【請求項２】
前記所定の条件が成立する領域は、画像データの更新の前後で画素値に変化がない領域である請求項１に記載のキャリブレーション装置。
【請求項３】
前記所定の条件が成立する領域であるか否かの判定はフレーム単位で行われる請求項１又は２に記載のキャリブレーション装置。
【請求項４】
前記補正手段は、フレーム内の前記パッチ画像が表示される領域外の所定の位置の画素の画素値をフレーム毎に変化させることで、前記所定の条件が成立しないようにする請求項３に記載のキャリブレーション装置。
【請求項５】
前記表示パネルの画素のうち周縁部の一部の画素は前記表示装置の外装部品の背後におけるユーザに視認されない位置にあり、
前記所定の位置は前記周縁部にある請求項４に記載のキャリブレーション装置。
【請求項６】
前記所定の条件が成立する領域であるか否かの判定はスキャンライン単位で行われる請求項１又は２に記載のキャリブレーション装置。
【請求項７】
前記補正手段は、前記パッチ画像を含むスキャンラインにおいて前記パッチ画像が存在しない所定の位置の画素の画素値をフレーム毎に変化させることで、前記所定の条件が成立しないようにする請求項６に記載のキャリブレーション装置。
【請求項８】
前記補正手段は、前記所定の位置の画素の輝度又は色度をフレーム毎に変化させることで、前記所定の条件が成立しないようにする請求項４、５、及び７のいずれか１項に記載のキャリブレーション装置。
【請求項９】
前記補正手段は、前記所定の位置の画素を第１の画素値と第２の画素値とフレーム毎に切り替えることで、前記所定の条件が成立しないようにする請求項４、５、及び７のいずれか１項に記載のキャリブレーション装置。
【請求項１０】
前記補正手段は、前記所定の位置をフレーム毎に異ならせる請求項４、５、及び７のいずれか１項に記載のキャリブレーション装置。
【請求項１１】
画像データに基づき各画素へ電圧が印加されることで画像を表示する表示パネルを備え、画像データが更新されたときに所定の条件が成立する領域において前記表示パネルへの電圧の印加を行わない制御を行う表示装置に対し、キャリブレーションを行うキャリブレーション装置の制御方法であって、
前記表示装置へパッチ画像を含む画像データを出力する出力工程と、
測定器から前記表示パネルの測色値を取得し、取得した測色値に基づき前記表示パネルのキャリブレーションを行うキャリブレーション工程と、
前記キャリブレーションが行われているときに、前記パッチ画像が表示される領域において前記所定の条件が成立しないように、前記画像データを補正する補正工程と、
を有することを特徴とするキャリブレーション装置の制御方法。
【請求項１２】
前記所定の条件が成立する領域は、画像データの更新の前後で画素値に変化がない領域である請求項１１に記載のキャリブレーション装置の制御方法。
【請求項１３】
前記所定の条件が成立する領域であるか否かの判定はフレーム単位で行われる請求項１１又は１２に記載のキャリブレーション装置の制御方法。
【請求項１４】
前記補正工程では、フレーム内の前記パッチ画像が表示される領域外の所定の位置の画素の画素値をフレーム毎に変化させることで、前記所定の条件が成立しないようにする請求項１３に記載のキャリブレーション装置の制御方法。
【請求項１５】
前記表示パネルの画素のうち周縁部の一部の画素は前記表示装置の外装部品の背後におけるユーザに視認されない位置にあり、
前記所定の位置は前記周縁部にある請求項１４に記載のキャリブレーション装置の制御方法。
【請求項１６】
前記所定の条件が成立する領域であるか否かの判定はスキャンライン単位で行われる請求項１１又は１２に記載のキャリブレーション装置の制御方法。
【請求項１７】
前記補正工程では、前記パッチ画像を含むスキャンラインにおいて前記パッチ画像が存在しない所定の位置の画素の画素値をフレーム毎に変化させることで、前記所定の条件が成立しないようにする請求項１６に記載のキャリブレーション装置の制御方法。
【請求項１８】
前記補正工程では、前記所定の位置の画素の輝度又は色度をフレーム毎に変化させることで、前記所定の条件が成立しないようにする請求項１４、１５、及び１７のいずれか１項に記載のキャリブレーション装置の制御方法。
【請求項１９】
前記補正工程では、前記所定の位置の画素を第１の画素値と第２の画素値とフレーム毎に切り替えることで、前記所定の条件が成立しないようにする請求項１４、１５、及び１７のいずれか１項に記載のキャリブレーション装置の制御方法。
【請求項２０】
前記補正工程では、前記所定の位置をフレーム毎に異ならせる請求項１４、１５、及び１７のいずれか１項に記載のキャリブレーション装置の制御方法。
【請求項２１】
画像データに基づき各画素へ電圧が印加されることで画像を表示する表示パネルと、
画像データが更新されたときに所定の条件が成立する領域において前記表示パネルへの電圧の印加を行わない制御を行う制御手段と、
請求項１〜１０のいずれか１項に記載のキャリブレーション装置と、
を備える表示装置。
【請求項２２】
画像データに基づき各画素へ電圧が印加されることで画像を表示する表示パネルを備える表示装置の制御方法であって、
画像データが更新されたときに所定の条件が成立する領域において前記表示パネルへの電圧の印加を行わない制御を行う制御工程と、
前記表示パネルへパッチ画像を含む画像データを出力する出力工程と、
測定器から前記表示パネルの測色値を取得し、取得した測色値に基づき前記表示パネルのキャリブレーションを行うキャリブレーション工程と、
前記キャリブレーションが行われているときに、前記パッチ画像が表示される領域において前記所定の条件が成立しないように、前記画像データを補正する補正工程と、
を有することを特徴とする表示装置の制御方法。
【発明の詳細な説明】
【技術分野】
【０００１】
この発明はキャリブレーション装置及びその制御方法、表示装置及びその制御方法に関する。
【背景技術】
【０００２】
映画制作では、撮影後にポストプロダクションと呼ばれる画像編集作業がある。この中にカラーグレーディングと呼ばれる工程がある。この工程では繋ぎ合わせる複数のシーンの色調合わせや、カメラマンや監督の考える色彩へ合致するようにカラリストが調整を行う。この工程ではプロジェクタやディスプレイ等の表示装置の発色の精度が非常に重要であり、表示装置に対して予めキャリブレーションを実施して色精度が高められる。ここでキャリブレーションとは、色域や輝度、色温度、ガンマカーブ等が目標値や目標とするＤＣＩ（Digital Cinema Initiatives）規格等に精度良く合致するために行われる、表示装置の校正である。具体的にはパッチ画像と呼ばれる代表的な色の矩形画像の表示色を次々に測色し、測色値と目標値が近づくように表示装置内部の補正値を変えていく。
【０００３】
また近年液晶ディスプレイが普及しており、映画制作現場でもその使用率は高い。液晶ディスプレイの主な液晶制御方式にアクティブマトリクス制御方式がある。このアクティブマトリクス制御方式について、図９を用いて説明する。液晶パネルは画面上の各画素を制御するためにスキャンラインとデータラインをそれぞれ持つ。各画素（図９の画素Ａ）を制御するには、まず交差するスキャンライン（図９のａ１）に電圧を加え、各画素のアクティブ素子を有効にする。次にデータライン（図９のａ２）に画像信号に従った所定の電圧を加えることで、各画素のアクティブ素子に所定の電圧を印加する。この印加電圧により、各画素が所望の表示となる。スキャンラインの電圧が印加されていない場合は、アクティブ素子は無効となり、有効時に加えられた電圧を保持するが、時間経過とともに放電される。また電圧印加対象の画素（図９の画素Ａ）以外にも、隣接する画素（図９の画素Ｂ、画素Ｃ）も影響を受けて電圧が変化する。そのため、定期的に電圧を再印加する必要があり、この周期をリフレッシュレートと呼ぶ。一方、液晶デバイスの技術発展により、近年画素データ保持性能の高い液晶ディスプレイが登場してきている。このような液晶ディスプレイでは、長い時間リフレッシュをせずに画像表示を行うことができる。そのため、表示画像が静止画像であることを検出した場合、リフレッシュを数秒に１回等にする低消費電力モードで画像表示を行うことにより、省電力化が可能である（例えば特許文献１を参照）。
【先行技術文献】
【特許文献】
【０００４】
【特許文献１】特開平７−１２１１３３号公報
【発明の概要】
【発明が解決しようとする課題】
【０００５】
キャリブレーションの実行時には、パッチ画像を一定時間表示させた状態で測色を行う必要がある。この間の表示は静止画像と判定されるため、低消費電力モードで画像表示がされてしまう。低消費電力モードとフレームレートに合わせてリフレッシュを行う通常モードとでは、他の信号線等の影響により、同じ画素値でも表示色が同一にはならない場合がある。そのため、キャリブレーションの実行時にパッチ画像表示が低消費電力モードで行われてしまうと、通常モードでは目標値と合わなくなってしまう。
【０００６】
そこで本発明は、所定の条件でリフレッシュレートを低くして消費電力を低減した表示
が可能な表示装置に対するキャリブレーションを精度良く行うことを可能にすることを目的とする。
【課題を解決するための手段】
【０００７】
本発明は、画像データに基づき各画素へ電圧が印加されることで画像を表示する表示パネルを備え、画像データが更新されたときに所定の条件が成立する領域において前記表示パネルへの電圧の印加を行わない制御を行う表示装置に対し、キャリブレーションを行うキャリブレーション装置であって、
前記表示装置へパッチ画像を含む画像データを出力する出力手段と、
測定器から前記表示パネルの測色値を取得し、取得した測色値に基づき前記表示パネルのキャリブレーションを行うキャリブレーション手段と、
前記キャリブレーションが行われているときに、前記パッチ画像が表示される領域において前記所定の条件が成立しないように、前記画像データを補正する補正手段と、
を有することを特徴とするキャリブレーション装置である。
【０００８】
本発明は、画像データに基づき各画素へ電圧が印加されることで画像を表示する表示パネルを備え、画像データが更新されたときに所定の条件が成立する領域において前記表示パネルへの電圧の印加を行わない制御を行う表示装置に対し、キャリブレーションを行うキャリブレーション装置の制御方法であって、
前記表示装置へパッチ画像を含む画像データを出力する出力工程と、
測定器から前記表示パネルの測色値を取得し、取得した測色値に基づき前記表示パネルのキャリブレーションを行うキャリブレーション工程と、
前記キャリブレーションが行われているときに、前記パッチ画像が表示される領域において前記所定の条件が成立しないように、前記画像データを補正する補正工程と、
を有することを特徴とするキャリブレーション装置の制御方法である。
【０００９】
本発明は、画像データに基づき各画素へ電圧が印加されることで画像を表示する表示パネルを備える表示装置の制御方法であって、
画像データが更新されたときに所定の条件が成立する領域において前記表示パネルへの電圧の印加を行わない制御を行う制御工程と、
前記表示パネルへパッチ画像を含む画像データを出力する出力工程と、
測定器から前記表示パネルの測色値を取得し、取得した測色値に基づき前記表示パネルのキャリブレーションを行うキャリブレーション工程と、
前記キャリブレーションが行われているときに、前記パッチ画像が表示される領域において前記所定の条件が成立しないように、前記画像データを補正する補正工程と、
を有することを特徴とする表示装置の制御方法である。
【発明の効果】
【００１０】
本発明により、所定の条件でリフレッシュレートを低くして消費電力を低減した表示が可能な表示装置に対するキャリブレーションを精度良く行うことが可能になる。
【図面の簡単な説明】
【００１１】
【図１】実施例１におけるシステム構成図
【図２】差分画像の描画例を示す図
【図３】実施例１におけるキャリブレーション処理のフローチャート
【図４】実施例１における差分画像描画処理のフローチャート
【図５】実施例２におけるシステム構成図
【図６】実施例２におけるキャリブレーションアプリケーションの構成図
【図７】実施例２におけるキャリブレーション処理のフローチャート
【図８】差分画像の描画方法の例を示す図
【図９】アクティブマトリクス制御方式の説明図
【発明を実施するための形態】
【００１２】
（実施例１）
本発明の実施例１について説明する。図１は、本発明が適用される表示装置１００の構成を示した図である。
図１において、不図示の画像出力装置より出力された画像信号は、信号線から入力端子を通り画像入力部１０１に入力される。
画像入力部１０１は、入力された画像信号を復調してフレームデータへ格納し、画像選択部１０２へ出力する。復調とは、伝送用に配列された画像信号を表示装置内部で表示用に配列し直すことである。フレームデータとは、表示装置１００内で使用される、後述のパネル１５０の出力形式に合わせた画像のデータである。
【００１３】
画像選択部１０２は、画像入力部１０１より出力されたフレームデータと後述の差分画像描画部１０７より出力されたフレームデータとのうち一方を、後述のＣＰＵ１１１の指示に従って選択し、画像補正部１０３へ出力する。
画像補正部１０３は画像選択部１０２より出力されたフレームデータに対して後述の補正値算出部１０８で生成された画像補正値を適用し、グラフィックス重畳部１０４へ出力する。
グラフィックス重畳部１０４は、後述のグラフィックス生成部１０９で生成されたグラフィックスをフレームデータへ重畳して画像比較部１５３へ出力する。
【００１４】
リフレッシュレート設定部１０５は、後述のＣＰＵ１１１の指示に従って、測色する際に用いる所定のリフレッシュレートをパネル１５０に設定する。
パッチ画像生成部１０６は、後述のＣＰＵ１１１のキャリブレーションの指示に従って、測色対象色のパッチ画像が描画されたフレームデータを生成し、フレームデータを差分画像描画部１０７へ出力する。パネル１５０においてパッチ画像の表示される範囲は、後述の測色範囲算出部１１５で算出された測色器１１６で測色される範囲を包含するよう定められる。
【００１５】
差分画像描画部１０７では、パッチ画像生成部１０６から出力されたフレームデータで、パッチ画像の範囲外の領域に、後述のＣＰＵ１１１の指示に従って１フレーム前のデータと差分ができるように画像を描画する。例えば図２であり、説明は後述する。
補正値算出部１０８は、キャリブレーションの結果に基づき、表示がユーザの設定したキャリブレーション目標値と一致するようにフレームデータを変換するために用いられる画像補正値を生成し、画像補正部１０３へ通知する。補正対象には、γ（ガンマ）係数、色域、面内の輝度むらや色むら等がある。
【００１６】
グラフィックス生成部１０９は、画像や装置に関する情報表示のためのＯＳＤ（On Screen Display）用の画像データをメモリ部１１３上に生成し、グラフィックス重畳部１０
４へと出力する。
測色器通信部１１０は、後述の測色器１１６との通信を行う。測色器通信部１１０は、測色器１１６から得られた測色値をメモリ部１１３へ保存したり、測色器１１６へ設定値を送信したりする。設定値としては、例えば、測色時間や測色精度、視野角等がある。
【００１７】
ＣＰＵ１１１は、各部に対して各処理の実行指示を行う。
ユーザＩ／Ｆ部１１２は、ユーザの操作情報を取得する。ユーザの操作情報とは、表示装置１００に取り付けられたボタンやタッチパネルの押下情報、不図示の有線又は無線で接続されるリモートコントローラからのボタン押下情報等である。ユーザの操作情報とグラフィックス生成部１０９で生成されたＯＳＤから、ＣＰＵ１１１はユーザからの設定値
や目標値の情報を得る。
メモリ部１１３は、通電状態のみ情報保持できる記憶媒体である。
不揮発メモリ部１１４は、非通電状態でも情報保持可能な記憶媒体である。
【００１８】
測色範囲算出部１１５は、測色距離及び測色器の視野角から測色器で測色されるパネル１５０の範囲を算出する。測色距離とはパネル１５０と測色器１１６との間の距離であり、ユーザＩ／Ｆ部１１２からユーザが入力した値や、不図示のカメラにより測定した距離を用いる。又は測色距離を固定とし、その距離に合うようにユーザに測色器の設置させるようにしても良い。
測色器１１６は、表示装置１００の所定の測定位置を測色する測定器であり、表示装置１００とＵＳＢ（Universal Serial Bus）等で接続され、ＣＰＵ１１１の指示に従って、測色した値を測色器通信部１１０へ通知する。
【００１９】
パネル１５０は、画像データに基づき各画素へ電圧が印加されることで画像を表示する表示パネルであり、表示装置１００内でモジュール化されており、独立した制御が行われる。
画像記憶部１５１は後述の画像比較部１５３に入力されたフレームデータを１フレーム分記憶する。
時間計測部１５２は後述の画像比較部１５３より画像出力されたタイミングからの経過時間を計測する。
【００２０】
画像比較部１５３は、グラフィックス重畳部１０４から入力される画像データが更新されたときに所定の条件が成立する領域においてパネル１５０への電圧の印加が行われないように画像出力部１５４への画像データの出力を制御する。実施例１では、所定の条件が成立する領域とは、画像データの更新の前後で画素値に変化がない領域であり、画像比較部１５３は、フレーム単位で所定の条件が成立する領域であるか判定する。すなわち、画像比較部１５３は、グラフィックス重畳部１０４より出力されたフレームデータと画像記憶部１５１で保持されている１フレーム前のフレームデータとが一致する場合、フレーム単位で画像データの更新の前後で画素値に変化がないと判定する。この場合、画像比較部１５３は、所定の条件が成立する領域について、画像データを画像出力部１５４へ出力しない。グラフィックス重畳部１０４より出力されたフレームデータと画像記憶部１５１で保持されている１フレーム前のフレームデータとが一致しない場合、画像比較部１５３は、現在のフレームデータを画像出力部１５４へ出力する。現在のフレームデータは、グラフィックス重畳部１０４から入力されたフレームデータである。また、画像比較部１５３は、時間計測部１５２より前回のフレームデータ（画像記憶部１５１に記憶されているフレームデータ）の出力から一定時間経過した情報を得たら、現在のフレームデータを画像出力部１５４へ出力する。
【００２１】
画像出力部１５４は画像比較部１５３より出力されたフレームデータに従って、各画素のデータを更新する。すなわち、画像比較部１５３からデータが入力された画素について、画素値に基づく電圧を印加することで、リフレッシュを行う。画像比較部１５３からデータが入力されない画素については、画像出力部１５４は、データの更新を行わない。すなわち、画像比較部１５３からデータが入力されない画素について、画素値に基づく電圧の印加が行われず、リフレッシュが行われない。本実施例では、パネル１５０は、画像データの更新レート（フレームレート）に対して、画像の表示状態となる電圧を維持可能な時間が長いものとする。従って、パネル１５０のリフレッシュレートを画像データのフレームレートより長くすることが可能である。実施例１では、フレームの更新前後で画素値に変化がないフレーム、すなわち静止画像と判定された画像データが入力された場合に、リフレッシュを行わないことで、低消費電力モードで表示を行うことが可能であるものとする。上述のように、実施例１では、リフレッシュ要否判定はフレーム単位で行われる。
【００２２】
次に図３を用いて実施例１におけるキャリブレーションの基本フローを説明する。
図３の処理は、ユーザがユーザＩ／Ｆ部１１２よりキャリブレーション開始指示をしたときに開始するものとする。
【００２３】
Ｓ３０１において、ＣＰＵ１１１はグラフィックス生成部１０９に指示してパネル１５０にＯＳＤを表示させることにより、ユーザにキャリブレーションの目標値入力を促す。目標値には色温度、輝度値、色域等がある。その後、ＣＰＵ１１１はユーザＩ／Ｆ部１１２よりキャリブレーションの目標値を得る。
Ｓ３０２において、ＣＰＵ１１１はグラフィックス生成部１０９に指示してパネル１５０にＯＳＤを表示させることにより、ユーザに測色器１１６の校正及び設置を促す。校正には測色器１１６に蓋をして測色値ゼロを合わせるゼロ・キャリブレーション等がある。ＣＰＵ１１１は、設置のためグラフィックス生成部１０９に、測色器１１６と表示装置１００の中心位置を合わせるためのガイドを表示させたり、ユーザに測色距離を入力させるためのＯＳＤを表示させたりする。
【００２４】
Ｓ３０３において、ＣＰＵ１１１は画像選択部１０２にてフレームデータを画像入力部１０１の画像出力から、差分画像描画部１０７の画像出力に切り換える。
Ｓ３０４において、ＣＰＵ１１１はパッチ画像生成部１０６に対してキャリブレーション用のパッチ画像の生成を指示する。キャリブレーション用のパッチ画像は、図２のように測色範囲算出部１１５で算出した測色範囲を包含する大きさの、同一色の矩形で描画される。
Ｓ３０５において、ＣＰＵ１１１は差分画像描画部１０７に対して、差分画像の描画を指示する。詳細は図４を用いて後述する。
【００２５】
Ｓ３０６において、ＣＰＵ１１１は測色器通信部１１０を通して、測色器１１６から測色値を得る。具体的には、ＣＰＵ１１１は、測色器１１６に対して測色指示を出し、数百ｍｓから数分後に測色器１１６から測色値を得る。
Ｓ３０７において、ＣＰＵ１１１は差分画像描画部１０７に対して、差分画像の描画停止を指示する。
Ｓ３０８において、ＣＰＵ１１１はユーザが設定したキャリブレーション目標値と測色値を比較し、それらの差分を算出する。
Ｓ３０９において、Ｓ３０８で算出された差分が閾値以内（閾値をαとする）の場合、ＣＰＵ１１１は、このパッチ画像に関するキャリブレーションが完了したと判断しＳ３１０へ進む。Ｓ３０８で算出された差分が閾値αを超える場合、ＣＰＵ１１１はＳ３１１へ進む。
【００２６】
Ｓ３１０において、ＣＰＵ１１１はキャリブレーションに用いるパッチ画像の全てについて、測色値と目標値との比較が完了したかを判定する。全てのパッチ画像について測色値と目標値との比較が完了している場合、ＣＰＵ１１１はＳ３１５へ進む。完了していない場合、ＣＰＵ１１１はＳ３０４へ戻り、次のパッチ画像についてキャリブレーション処理を継続する。
【００２７】
Ｓ３１１において、ＣＰＵ１１１はＳ３０８で算出された差分が閾値以内（閾値をβとする）か判定する。差分が閾値βを超える場合、測色値が異常であり、例えば測色器１１６がパッチ画像以外を測色している等の異常が考えられる。この場合、ＣＰＵ１１１はＳ３１４に進み、キャリブレーションを中断する。差分が閾値β以内の場合、ＣＰＵ１１１は測色値が正常範囲内であると判断し、Ｓ３１２へ進む。
【００２８】
Ｓ３１２において、ＣＰＵ１１１は同一パッチ画像の測色回数が一定回数Ｎ回を超えた
か判定する。Ｎ回を超えた場合、ＣＰＵ１１１はキャリブレーション処理が収束できないと判断し、Ｓ３１４へ進み、キャリブレーションを中断する。Ｎ回以内の場合、ＣＰＵ１１１は測定回数が正常範囲内である判断し、Ｓ３１３へ進む。
Ｓ３１３において、ＣＰＵ１１１は測色値がキャリブレーション目標値に近づくように、補正値算出部１０８で補正値を生成し、画像補正部１０３でその補正値を反映させる。その後、ＣＰＵ１１１はＳ３０５に戻り、再度同一のパッチ画像に対してキャリブレーションを実施する。
【００２９】
Ｓ３１４において、ＣＰＵ１１１は画像選択部１０２にてフレームデータを画像入力部１０１の画像出力に切り換え、キャリブレーション処理を中断する。
Ｓ３１５において、ＣＰＵ１１１はパッチ画像生成部１０６でキャリブレーション結果を検証するためのパッチ画像を生成する。生成されるパッチ画像は、例えば白、黒、赤、緑、青等の純色のパッチ画像が用いられる。
Ｓ３１６において、ＣＰＵ１１１は差分画像描画部１０７に対して、差分画像の描画を指示する。詳細はＳ３０５同様、図４を用いて後述する。
Ｓ３１７において、ＣＰＵ１１１は測色器通信部１１０を通して、測色器１１６から測色値を得る。具体的には、ＣＰＵ１１１は、測色器１１６に対して測色指示を出し、数百ｍｓから数秒後に測色器１１６から測色値を得る。
【００３０】
Ｓ３１８において、ＣＰＵ１１１は差分画像描画部１０７に対して、差分画像の描画停止を指示する。
Ｓ３１９において、ＣＰＵ１１１はキャリブレーション結果の検証用パッチ画像の全てについて測色が完了したかを判定する。全てのパッチ画像について測色が完了している場合、ＣＰＵ１１１はＳ３２０へ進み、全てについて測色が完了していない場合、ＣＰＵ１１１はＳ３１５に戻り、次のパッチ画像を測色する。
Ｓ３２０において、ＣＰＵ１１１は画像選択部１０２にてフレームデータを画像入力部１０１の画像出力に切り換える。
Ｓ３２１において、ＣＰＵ１１１はキャリブレーション結果検証用パッチ画像の測色結果を示すＯＳＤをグラフィックス生成部１０９により表示させ、キャリブレーションを正常終了する。
【００３１】
次に図４を用いて上記キャリブレーションの基本フローにおける差分画像描画処理について説明する。差分画像描画処理は差分画像描画部１０７により実行される。図４の処理は、Ｓ３０５又はＳ３１６のステップにおいて差分画像描画処理の開始が指示されると開始するものとする。
Ｓ４０１において、差分画像描画部１０７は、前回の差分画像描画（出力）より一定時間Ｔ経過しているか判定する。一定時間Ｔは、リフレッシュレート設定部１０５にて設定されるリフレッシュレートの単位時間であり、例えば、リフレッシュレート５０Ｈｚの場合、一定時間Ｔは２０ｍｓとなる。
【００３２】
Ｓ４０２において、差分画像描画部１０７は、フレーム内のパッチ画像の表示領域の外に前回描画した差分画像と異なる差分画像を描画する。具体的には図２のようになり、時間Ｔ間隔で描画される差分画像が変化していく。なお、描画される差分画像は輝度や色度を変化させるだけでも良い。また差分画像の描画と消去を交互に行っても良い。この処理により、キャリブレーションが行われているときに、パッチ画像が表示される領域において、上述した所定の条件が成立しないように、フレーム毎に画像データが補正されることになる。実施例１では、所定の条件が成立するか否かはフレーム単位で判定されるため、フレーム内でパッチ画像が表示される領域外の所定の位置に付加的な画像（差分画像）を描画することで、所定の条件が成立しないようにすることができる。
【００３３】
Ｓ４０３において、差分画像描画部１０７は、差分画像描画停止要求があるかを判定する。Ｓ３０７又はＳ３１８において差分画像停止要求があった場合、差分画像描画部１０７は、この差分画像描画処理を停止する。停止要求がなかった場合、差分画像描画部１０７は、Ｓ４０１に戻り、差分画像描画を継続する。
【００３４】
実施例１では、パネル１５０のリフレッシュを行うか否かの判定は、フレーム全体で前フレームから画素値に差分があるか否かに基づき行われる。既定の制御では、フレーム全体で前フレームから画素値に変化がない場合、パネル１５０のリフレッシュは行われない。しかし、キャリブレーションの実行中は、パッチ画像の表示領域外に毎フレーム変化する差分画像が描画されることで、前フレームからの画素値の変化が生じるように（所定の条件が成立しないように）フレームデータが補正される。実施例１では、フレーム全体での画素値の変化の有無に基づきリフレッシュ要否が判定されることから、このような差分画像の付加が毎フレーム行われることで、リフレッシュ要の判定がなされるようになる。すなわち、キャリブレーションの実行中、パッチ画像が表示されるときは、強制的にパネル１５０のリフレッシュが行われるように制御される。実施例１では、前フレームと現フレームとの間でフレーム全体で比較して何らかの画素値の変化があればリフレッシュ要と判断される。よって、差分画像は上記のようにフレーム毎に描画位置を異ならせたり、輝度や色度を異ならせたり、差分画像の描画と消去を交互に繰り返したりすれば良い。リフレッシュ要否の判定方法はフレーム全体での画素値の変化の有無に基づく判定方法に限られない。他の判定方法を採る場合には、その判定方法に応じて、キャリブレーション実行中にリフレッシュ要判定がなされるように、パッチ画像を含む画像の補正を行えば良い。
【００３５】
（実施例２）
次に本発明の実施例２について説明する。以下、実施例２に係る説明は、実施例１との相違点について主に説明する。実施例１と同一の構成、同一の動作には実施例１で説明したものと同一の符号を付与してこれを表すものとする。
図５は、本発明が適用される表示装置としての表示装置５００及び表示装置５００に対するキャリブレーションを行うキャリブレーション装置であるＰＣ（Personal Computer
）５１０の構成を示した図である。
【００３６】
ＰＣ通信部５０１は、ＰＣ５１０とＵＳＢケーブル等で接続され、画像調整値の受信や現在の表示装置の状態を送信したりする。
ＣＰＵ５１１はＰＣ５１０内の各部を統括的に制御する。
メモリ部５１２は、通電状態のみ情報保持できる記憶媒体である。
不揮発メモリ部５１３は、非通電状態でも情報保持可能な記憶媒体である。媒体としてはＨＤＤ（Hard Disk Drive）やＳＳＤ（Solid State Disk）がある。ここにキャリブレ
ーションアプリケーション５１４が保持されている。
【００３７】
キャリブレーションアプリケーション５１４は不揮発メモリ部５１３に保持され、アプリケーションが起動されると、ＣＰＵ５１１によってメモリ部５１２に格納されて実行される。キャリブレーションアプリケーション５１４の内部構成については後述する。
画像出力部５１５は、表示装置５００とＤＰ（Display Port）等で接続される。ＣＰＵ５１１やキャリブレーションアプリケーション５１４で描画された画像を、表示装置５００のリフレッシュレートで出力する。
【００３８】
ディスプレイ通信部５１６は、表示装置５００とＵＳＢケーブル等で接続され、表示装置５００と通信を行う。ディスプレイ通信部５１６は、ＣＰＵ５１１の指示に従って、表示装置５００への設定や表示装置５００からの情報取得を行う。
測色器通信部５１７は、測色器１１６との通信を行う。測色器通信部５１７は、測色器１１６から得られた測色値をメモリ部５１２へ保存したり、測色器１１６へ設定値を送信
したりする。設定値には、例えば、測色時間や測色精度、視野角等がある。
【００３９】
図６は、キャリブレーションアプリケーション５１４の内部構成を示した図である。
ＧＵＩ（Graphical User Interface）部６０１は、ＣＰＵ５１１の指示に従い、不図示のキーボードやマウス等の操作によって、ユーザ操作を受け付けたり、画像データを画像出力部５１５を通して表示装置５００へ出力したりする。
測色範囲算出部６０２は、測色距離、測色器の視野角から測色器１１６で測色されるパネル１５０の範囲を算出する。測色距離は、パネル１５０と測色器１１６との間の距離であり、ＧＵＩ部６０１からユーザが入力した距離を用いる。又は測色距離を固定とし、その距離に合うようにユーザに測色器１１６を設置してもらう方法もある。
【００４０】
リフレッシュレート取得部６０３は、画像出力部５１５より画像出力のリフレッシュレートを取得する。
パッチ画像生成部６０４は、測色対象色のパッチ画像を生成する。パッチ画像の大きさは、測色範囲算出部６０２で算出された測色器１１６で測色される範囲を包含する。
差分画像描画部６０５は、パッチ画像生成部６０４で生成されたパッチ画像の表示領域外の領域に、１フレーム前の画像と差分ができるように差分画像を描画する。１フレーム前とは、リフレッシュレート取得部６０３より取得したリフレッシュレートの単位時間Ｔ前である。差分画像の例を、図２に示す。差分画像描画部６０５は、この差分画像を画像出力部５１５を通して、表示装置５００へ出力する。
【００４１】
測色指示部６０６は、測色器通信部５１７を通して測色器１１６から測色値を得る。
補正値算出部６０７は、キャリブレーション結果に基づき、測色値がユーザの設定したキャリブレーション目標値に近づくように、フレームデータを変換する補正値を生成し、ディスプレイ通信部５１６を通して、表示装置５００内の画像補正部１０３へ通知する。補正値にはγ（ガンマ）値や色域補正値、面むら補正値等がある。
【００４２】
次に実施例２におけるキャリブレーションの基本フローを説明する。図７の処理は、ユーザがＧＵＩ部６０１よりキャリブレーションの開始を指示したときに開始するものとする。
Ｓ７０１において、ＣＰＵ５１１はＧＵＩ部６０１にＯＳＤを表示させ、ユーザにキャリブレーションの目標値入力を促す。目標値には色温度や輝度値、色域等がある。その後、ＣＰＵ５１１はＧＵＩ部６０１よりキャリブレーションの目標値を得る。
【００４３】
Ｓ７０２において、ＣＰＵ５１１はＧＵＩ部６０１にＯＳＤを表示させ、ユーザに測色器１１６の校正及び設置を促す。校正には測色器１１６に蓋をして測色値ゼロを合わせるゼロ・キャリブレーション等がある。ＣＰＵ５１１は、設置のためＧＵＩ部６０１に、測色器１１６と表示装置５００の中心位置を合わせるためのガイドを表示させたり、ユーザに測色距離の入力させるためのＯＳＤを表示させたりする。
Ｓ７０３において、ＣＰＵ５１１はパッチ画像生成部６０４に対してキャリブレーション用のパッチ画像の生成を指示する。キャリブレーション用のパッチ画像は、図２のように測色範囲算出部６０２で算出した測色範囲を包含する大きさの、同一色の矩形で描画される。
【００４４】
Ｓ７０４において、ＣＰＵ５１１は差分画像描画部６０５に対して、差分画像の描画を指示する。詳細は図４を用いて後述する。
Ｓ７０５において、ＣＰＵ５１１は測色器通信部５１７を通して、測色器１１６から測色値を得る。具体的には、ＣＰＵ５１１は、測色器１１６に対して測色指示を出し、数百ｍｓから数秒後に測色器１１６から測色値を得る。
Ｓ７０６において、ＣＰＵ５１１は差分画像描画部６０５に対して、差分画像の描画停
止を指示する。
Ｓ７０７において、ＣＰＵ５１１はユーザが設定したキャリブレーション目標値と測色値とを比較し、それらの差分を算出する。
【００４５】
Ｓ７０８において、ＣＰＵ５１１は、Ｓ７０７で算出した差分が閾値以内（閾値をαとする）の場合はこのパッチ画像についてのキャリブレーションが完了したと判断しＳ７０９へ進む。差分が閾値αを超える場合、ＣＰＵ５１１はＳ７１０へ進む。
Ｓ７０９において、ＣＰＵ５１１はキャリブレーションに用いる全てのパッチ画像について、測色値と目標値との比較が完了したかを判定する。全てのパッチ画像について完了している場合、ＣＰＵ５１１はＳ７１３へ進む。全てのパッチ画像について完了していない場合、ＣＰＵ５１１はＳ７０３へ戻り、次のパッチ画像についてのキャリブレーション処理を継続する。
【００４６】
Ｓ７１０において、ＣＰＵ５１１はＳ７０７で算出した差分が閾値以内（閾値をβとする）か判定する。差分が閾値βを超える場合、測色値が異常であり、例えば測色器１１６がパッチ画像以外を測色していることが考えられる。この場合、ＣＰＵ５１１はキャリブレーションを中断する。差分が閾値β以内の場合、ＣＰＵ５１１は測色値が正常範囲内であると判断し、Ｓ７１１へ進む。
Ｓ７１１において、ＣＰＵ５１１は同一パッチ画像の測色回数が一定回数Ｎ回を超えたか判定する。Ｎ回を超えた場合、ＣＰＵ５１１は、キャリブレーション処理が収束できないと判断し、キャリブレーションを中断する。Ｎ回以内の場合、ＣＰＵ５１１は測定回数が正常範囲内であると判断し、Ｓ７１２へ進む。
【００４７】
Ｓ７１２において、ＣＰＵ５１１は測色値がキャリブレーション目標値に近づくように、補正値算出部６０７で補正値を生成し、ディスプレイ通信部５１６を通して画像補正部１０３でその補正値を反映させる。その後、ＣＰＵ５１１はＳ７０４に戻り、再度同一のパッチ画像に対してキャリブレーションを実施する。
Ｓ７１３において、ＣＰＵ５１１はパッチ画像生成部６０４でキャリブレーション結果を検証するためのパッチ画像を生成する。生成されるパッチ画像には、白、黒、赤、緑、青の純色等が用いられる。
Ｓ７１４において、ＣＰＵ５１１は差分画像描画部６０５に対して、差分画像の描画を指示する。詳細はＳ７０４同様、図４を用いて後述する。
【００４８】
Ｓ７１５において、ＣＰＵ５１１は測色器通信部５１７を通して、測色器１１６から測色値を得る。具体的には、ＣＰＵ５１１は、測色器１１６に対して測色指示を出し、数百ｍｓから数秒後に測色器１１６から測色値を得る。
Ｓ７１６において、ＣＰＵ５１１は差分画像描画部６０５に対して、差分画像の描画停止を指示する。
Ｓ７１７において、ＣＰＵ５１１はキャリブレーション結果の検証用パッチ画像全ての測色が完了したかを判定する。全ての測色が完了している場合、ＣＰＵ５１１はＳ７２０へ進み、全ての測色が完了していない場合、ＣＰＵ５１１はＳ７１３に戻り、次のパッチ画像を測色する。
Ｓ７１８において、ＣＰＵ５１１は、キャリブレーション結果検証用パッチ画像の測色結果をＧＵＩ部６０１でグラフィックスを用いて表示し、キャリブレーションを正常終了する。
【００４９】
次に図４を用いて上記キャリブレーションの基本フローにおける差分画像描画処理について説明する。実施例２の差分画像描画処理は実施例１と同じフローであるため、同一の図４を用いる。
差分画像描画処理は差分画像描画部６０５により実行される。図４の処理は、Ｓ７０４
又はＳ７１４のステップにおいて差分画像描画処理の開始が指示がされたときに開始するものとする。
【００５０】
Ｓ４０１において、差分画像描画部６０５は、前回の差分画像描画より一定時間Ｔ経過しているか判定する。一定時間Ｔとはリフレッシュレート取得部６０３にて設定されるリフレッシュレートの単位時間である。
Ｓ４０２において、差分画像描画部６０５は、前回描画した差分画像と異なる差分画像をパッチ画像の表示領域外のフレームデータ上に描画する。具体的には図２のようになる。また描画される差分画像は輝度や色度を変化させるだけでも良い。また差分画像の描画と消去を交互に行っても良い。
【００５１】
Ｓ４０３において、差分画像描画部６０５は、差分画像描画停止要求があるかを判定する。Ｓ７０６又はＳ７１６において差分画像停止要求があった場合、差分画像描画部６０５は、この差分画像描画処理を停止する。停止要求がなかった場合、差分画像描画部６０５は、Ｓ４０１に戻り、差分画像描画を継続する。
【００５２】
なお、実施例１及び実施例２ともに、画像比較部１５３がフレーム単位で前フレームと現フレームとの比較をし、フレーム全体で差分がある場合にリフレッシュ要と判定される例を説明したが、リフレッシュ要否判定はこれに限らない。例えば、スキャンライン単位で前フレームと現フレームとを比較し、差分があるスキャンラインについてリフレッシュ要と判定し、差分がないスキャンラインについてリフレッシュしない構成も考えられる。この場合、パッチ画像の表示領域を強制的にリフレッシュするためには、パッチ画像が存在するスキャンラインにおいてフレーム毎に差分画像を描画してリフレッシュ要と判定されるようにすれば良い。この場合、差分画像は図８（ａ）のようにパッチ画像と同一スキャンライン上に描画され、かつ、一定時間Ｔ毎に差分画像が変化するように描画される。これによりスキャンライン単位でリフレッシュ要否判定するでも、通常モードでパッチ画像を表示させた状態でキャリブレーションのための測色を行うことが可能となる。
【００５３】
また、フレーム単位でリフレッシュ要否判定する場合、図８（ｂ）のように、差分画像を、ユーザから見えない位置、例えばベゼル（表示装置の枠筐体）内に表示しても良い。すなわち、パネル１５０の画素のうち周縁部の一部の画素は表示装置の外装部品の背後におけるユーザに視認されない位置にあり、この位置に差分画像を表示させる。これによりキャリブレーション実行中にフレーム毎に変化する差分画像がユーザに視認されなくなるので、ユーザが差分画像表示を見て表示装置の故障と誤解すること等を回避できる。
なお、上述した実施例は例示であって、本発明の思想をそれらのみに限定する趣旨のものではなく、本発明の思想から逸脱しない範囲内で種々の変更を加えたり組み合わせて実施したりすることができる。
【符号の説明】
【００５４】
１００：表示装置、１０６：パッチ画像生成部、１０７：差分画像描画部、１１０：測色器通信部、１１６：測色器、１５０：パネル、１５３：画像比較部
【図１】
2016122056.tif 000003
【図２】
2016122056.tif 000004
【図３】
2016122056.tif 000005
【図４】
2016122056.tif 000006
【図５】
2016122056.tif 000007
【図６】
2016122056.tif 000008
【図７】
2016122056.tif 000009
【図８】
2016122056.tif 000010
【図９】
2016122056.tif 000011